(57)【要約】【課題】  表側からも裏側からも変化する画像を表示できる画像表示パネルを提供する。【解決手段】  画像表示パネルのパネル本体は、互いに平行をなし離間対峙して配置された２つの透光面を有している。パネル本体は表側から裏側への光透過のみならず、裏側から表側への光透過が可能である。一方の透光面は、第１方向に延びる同一幅の多数の帯状領域を第１方向と直交する第２方向に配列するように分割され、互いに異なる３つの図柄の図柄要素１１ａ〜１３ａをこれら帯状領域に同一順序で繰り返し配列することにより、合成図柄パターン１０が構成されている。他方の透光面には、第１方向に延びる遮光帯２１と透光帯２２を第２方向に交互に多数配列することにより、縞柄パターン２０が構成されている。合成図柄パターン１０と縞柄パターン２０は同一色をなしている。縞柄パターン２０の遮光帯２１の幅Ｗａと透光帯２２の幅Ｗｂの和は、帯状領域の幅（画素要素の幅）の３倍である。【選択図】  図１０
2010032871.tif 000002
【特許請求の範囲】
【請求項１】
少なくとも１つの画像変化領域を含むパネル本体を備え、この画像変化領域では２つの透光面が互いに平行をなし離間対峙して配置され、この画像変化領域において、上記パネル本体の一方側から他方側への光透過と、当該他方側から当該一方側への光透過が可能な画像表示パネルにおいて、
上記２つの透光面の一方は、第１方向に延びる同一幅の多数の帯状領域を第１方向と直交する第２方向に配列するように分割され、互いに異なる複数の図柄の図柄要素をこれら帯状領域に同一順序で繰り返し配列することにより、合成図柄パターンが構成され、
他方の透光面には、上記第１方向に延びる遮光帯と透光帯を上記第２方向に交互に多数配列することにより、縞柄パターンが構成され、
上記合成図柄パターンと縞柄パターンが同一色をなし、
上記合成図柄パターンの図柄の数と同数の上記帯状領域の合計幅と、上記縞柄パターンにおける１組の上記遮光帯と透光帯の合計幅が等しく、上記透光帯の幅が上記帯状領域の幅と等しいかこれより狭いことを特徴とする画像表示パネル。
【請求項２】
上記合成図柄パターンが３つの図柄からなり、上記透光面と直交する方向から見た時に、選択された１つの図柄の図柄要素が、上記透光帯と重なることを特徴とする請求項１に記載の画像表示パネル。
【請求項３】
上記選択された１つの図柄が、無地であり、当該図柄の図柄要素に対応する帯状領域が全域にわたって透光性を有していることを特徴とする請求項２に記載の画像表示パネル。
【請求項４】
上記パネル本体が、１枚の透明基板を備え、その透明基板の少なくとも一部の両面が、上記合成図柄パターンと縞柄パターンが形成される上記２つの透光面として提供されることを特徴とする請求項１〜３のいずれかに記載の画像表示パネル。
【請求項５】
互いに平行をなして離間する２枚の透明基板を備え、これら透明基板の少なくとも一部において互いに向かい合う面が、上記合成図柄パターンと縞柄パターンが形成される２つの透光面として提供されることを特徴とする請求項１〜３のいずれかに記載の画像表示パネル。
【請求項６】
上記パネル本体の全域にわたって単一の画像変化領域が形成されていることを特徴とする請求項１〜５のいずれかに記載の画像表示パネル。
【請求項７】
上記パネル本体は、少なくとも１つの第１画像変化領域と、少なくとも１つの第２画像変化領域を有し、これら第１、第２の画像変化領域では、上記合成図柄パターンの図柄要素が配される帯状領域の延び方向が互いに直交するとともに、上記縞柄パターンの遮光帯および透光帯の延び方向が互いに直交することを特徴とする請求項１〜５のいずれかに記載の画像表示パネル。
【発明の詳細な説明】
【技術分野】
【０００１】
本発明は、見る方向によって異なる画像を表示できる画像表示パネルに関する。
【背景技術】
【０００２】
見る方向によって異なる画像を表示できる画像表示パネルは、特許文献１の図２に開示されている。
この画像表示パネルは透明基板を備えており、その裏側の面に印刷等の手段で合成図柄パターンが形成され、表側の面にマスクパターンが形成されている。
【０００３】
詳述すると、上記透明基板の裏側の面は、縦方向に延びる同一幅の多数の帯状領域を横方向に配列するように仮想的に分割され、第１、第２の立体図柄の対をなす視差図柄要素が、これら帯状領域に同一順序で繰り返し配列することにより、上記合成図柄パターンが構成されている。
【０００４】
他方、上記透明基板の表側の面のマスクパターンは縞柄をなし、縦方向に延びる同一幅の遮光帯および透光帯を横方向に交互に多数配列することにより構成されている。
【０００５】
上記構成の画像表示パネルでは、表側から所定の角度で見た時、マスクパターンの透光帯が第１立体図柄の左右の視差図柄要素と重なり、遮光帯が第２立体図柄の左右の視差図柄要素を隠すため、第１立体図柄の視差図柄要素だけが見えることになる。すなわち、画像表示パネルは、第１の立体図柄を表示することになる。
【０００６】
他の角度から見た時には、上記とは逆にマスクパターンの透光帯が第２立体図柄の左右の視差図柄要素と重なり、遮光帯が第１立体図柄の左右の視差図柄要素を隠すため、第２図柄の視差図柄要素だけが見えることになる。すなわち、画像表示パネルは第２の立体図柄を表示することになる。
【特許文献１】特許３９３５６５１号（図２）
【発明の開示】
【発明が解決しようとする課題】
【０００７】
特許文献１の画像表示パネルでは、画像表示パネルの表側から見た時だけ見る角度に応じて２つの立体画像の変化を表示することができるが、裏側から見ると第１、第２の立体図柄の視差図柄要素が混在した合成図柄パターンがそのままモザイク状に見えるだけで、明確な図柄を認識することができず、画像表示パネルとしての役割を持たないばかりか、見る人に不快感を与える。
そのため、特許文献１の画像表示パネルは、例えば壁を背にして設置する等、裏側を隠すように設置しなければならず、設置場所が限定されてしまう。
【課題を解決するための手段】
【０００８】
本発明は上記課題を解決するためになされたもので、少なくとも１つの画像変化領域を含むパネル本体を備え、この画像変化領域では２つの透光面が互いに平行をなし離間対峙して配置され、この画像変化領域において、上記パネル本体の一方側から他方側への光透過と、当該他方側から当該一方側への光透過が可能な画像表示パネルにおいて、上記２つの透光面の一方は、第１方向に延びる同一幅の多数の帯状領域を第１方向と直交する第２方向に配列するように分割され、互いに異なる複数の図柄の図柄要素をこれら帯状領域に同一順序で繰り返し配列することにより、合成図柄パターンが構成され、他方の透光面には、上記第１方向に延びる遮光帯と透光帯を上記第２方向に交互に多数配列することにより、縞柄パターンが構成され、上記合成図柄パターンと縞柄パターンが同一色をなし、上記合成図柄パターンの図柄の数と同数の上記帯状領域の合計幅と、上記縞柄パターンにおける１組の上記遮光帯と透光帯の合計幅が等しく、上記透光帯の幅が上記帯状領域の幅と等しいかこれより狭いことを特徴とする。
【０００９】
上記構成によれば、画像表示パネルを例えば表側（一方側）から見た場合には、見る角度に応じて合成図柄パターンにおける複数の図柄のうち１つの図柄の図柄要素が縞柄パターンの透光帯に重なり、他の図柄の図柄要素が遮光帯に隠されるので、この選択された図柄だけが見える。その結果、画像表示パネルは、表側から見る角度に応じて複数の異なる図柄を表示することができる。
また、画像表示パネルを裏側（他方側）から見た場合にも、見る角度に応じて合成図柄パターンにおける複数の図柄のうち１つの図柄の図柄要素が縞柄パターンの透光帯に重なり、他の図柄の図柄要素が遮光帯と重なる。合成図柄パターンと縞柄パターンは同色をなしているので、遮光帯と重なった図柄要素は視認することができず、隠されているのと同様である。そのため、透光帯と重なった図柄だけが見えることになる。すなわち、画像表示パネルは、裏側からも、見る角度に応じて複数の異なる図柄を表示することができる。
上記のように、本発明の画像パネルは両側から変化する画像を表示できるので、両側から見られるような場所に設置することができる。
【００１０】
好ましくは、上記合成図柄パターンが３つの図柄からなり、上記透光面と直交する方向から見た時に、選択された１つの図柄の図柄要素が、上記透光帯と重なる。
これによれば、表側，裏側を問わず、正面、両斜め方向（例えば左右方向）の所定角度から、すなわち３方向から３つの異なる図柄を見ることができる。
【００１１】
好ましくは、上記選択された１つの図柄が、無地であり、当該図柄の図柄要素に対応する帯状領域が全域にわたって透光性を有している。
これによれば、表側，裏側を問わず、正面から見ると縞柄パターンだけが見え、両斜め方向（例えば左右方向）の所定角度では縞柄パターンに図柄が重なった画像が見える。また、無地の図柄要素の両側に他の互いに異なる図柄要素が配置されているので、見る角度が上記所定角度から正面寄りにずれても、２つの異なる図柄が重なって見えることはない。
【００１２】
一つの態様では、上記パネル本体が、１枚の透明基板を備え、その透明基板の少なくとも一部の両面が、上記合成図柄パターンと縞柄パターンが形成される上記２つの透光面として提供される。
この構成によれば、画像表示パネルを安価に得ることができる。
【００１３】
他の態様では、互いに平行をなして離間する２枚の透明基板を備え、これら透明基板の少なくとも一部において互いに向かい合う面が、上記合成図柄パターンと縞柄パターンが形成される２つの透光面として提供される。
この構成によれば、２枚の透明基板により上記合成図柄パターンと縞柄パターンを保護することができる。
【００１４】
一つの態様では、上記パネル本体の全域にわたって単一の画像変化領域が形成されている。これにより、統一感のある画像を表示できる。
【００１５】
他の態様では、上記パネル本体は、少なくとも１つの第１画像変化領域と、少なくとも１つの第２画像変化領域を有し、これら第１、第２の画像変化領域では、上記合成図柄パターンの図柄要素が配される帯状領域の延び方向が互いに直交するとともに、上記縞柄パターンの遮光帯および透光帯の延び方向が互いに直交する。
これによれば、正面および２軸方向（例えば上下左右方向）での画像変化を表示することができる。
【発明の効果】
【００１６】
本発明によれば、表裏どちらから見た場合でも画像変化を表示することができる。
【発明を実施するための最良の形態】
【００１７】
以下、本発明の第１実施形態をなす画像表示パネルを、図１〜図１１を参照しながら説明する。
画像表示パネルは、図１に示すパネル本体１を主構成要素として備えている。本実施形態ではパネル本体１は一枚の縦長の矩形の透明基板２により構成されている。透明基板２はガラス板等からなり全域にわたって均一厚さを有している。
【００１８】
本実施形態では、パネル本体１の全域が単一の画像変化領域として提供される。パネル本体１は表側（一方側）から裏側（他方側）への光透過が可能であるとともに、裏側から表側への光透過も可能である。
【００１９】
図２に示すように、上記透明基板２の裏側の面２ａ（透光面）には、その全域にわたって合成図柄パターン１０がスクリーン印刷（印刷）されており、図３に示すように透明基板２の表側の面２ｂ（透光面）には、その全域にわたって縞柄パターン２０がスクリーン印刷されている。
【００２０】
上記パターン１０、２０を説明するに際し、理解を助けるために透明基板２の面２ａ，２ｂ上に、Ｘ−Ｙ軸を定める。本実施形態では縦方向をＹ軸方向（第１方向）とし、横方向をＸ軸方向（第２方向）とする。
【００２１】
上記合成図柄パターン１０について詳述する。図４に示すように、透明基板２の裏側の面２ａは、Ｙ軸方向に延びる同一幅Ｗの多数の帯状領域５をＸ軸方向に配列するように、仮想的に分割される。本実施形態では帯状領域５の長さは、透明基板２のＹ軸方向の寸法と同じである。
【００２２】
上記帯状領域５は第１〜第３の図柄を表すために配分される。第１図柄を表すための帯状領域５を符号Ａで示し、第２図柄を表すための帯状領域５を符号Ｂで表し、第３図柄を表すための帯状領域５を符号Ｃで表すと、Ａ、Ｂ、Ｃ、Ａ、Ｂ、Ｃ・・・と、同一順序で繰り返すように配置されている。
【００２３】
本実施形態では、第１図柄１１は、黒色のべた塗りした多数の正方形を市松模様のように縦横に配置することにより構成される。この第１図柄１１を、図４において符号Ａを付した帯状領域５に対応させて切り出すと、図５に示す多数の図柄要素１１ａが得られる。この図柄要素１１ａが、符号Ａを付した帯状領域５に印刷されている。
【００２４】
第２図柄１２は、黒色のべた塗りした多数の円形を、上記第１図柄１１の正方形に対応させた位置に散点状に配置することにより構成される。この第２図柄１２を、図４において符号Ｂを付した帯状領域５に対応させて切り出すと、図６に示す多数の図柄要素１２ａが得られる。この図柄要素１２ａが，符号Ｂを付した帯状領域５に印刷されている。
【００２５】
本実施形態では、図７に示すように第３図柄１３は無地であり、無地の図柄要素１３ａとなっている。すなわち、符号Ｃで示された帯状領域５は印刷されておらず全域にわたって透光性を有している。
図２、図８に示すように、３つの図柄１１〜１３の図柄要素１１ａ〜１３ａが同順序で繰り返されて配列されることにより、合成図柄パターン１０が構成されている。
【００２６】
次に、図３の縞柄パターン２０について説明する。この縞柄パターン２０は、上記合成図柄パターン１０と同色（本実施形態では黒色）である。
【００２７】
図９に最も良く示すように、縞柄パターン２０は、Ｙ軸方向に延びる所定幅Ｗａの黒色のべた塗りの印刷帯すなわち遮光帯２１と、Ｙ軸方向に延びる所定幅Ｗｂの非印刷帯すなわち透光帯２２を、Ｘ軸方向に交互に多数配列することにより構成されている。
【００２８】
上記縞柄パターン２０の遮光帯２１の幅Ｗａおよび透光帯２２の幅Ｗｂと、上記合成図柄パターン１０の図柄要素１１ａ〜１３ａを表示する帯状領域５の幅Ｗは、下記の関係を有する。
Ｗａ＋Ｗｂ＝Ｎ・Ｗ  ・・・（１）
ただし、Ｎは合成される図柄の数であり、本実施形態ではＮ＝３である。
Ｗｂ≦Ｗ・・・（２）
本実施形態では、Ｗｂ＝Ｗである。幅Ｗｂが幅Ｗより若干狭くてもよいが、良好な表示性能を確保するために、好ましくはＷｂ≧０．８Ｗである。
上記式（１）、（２）から必然的に下記式も成立する。
Ｗａ≧（Ｎ−１）Ｗ  ・・・（３）
本実施形態では、Ｗａ＝２Ｗである。
【００２９】
図１０に示すように、上記縞柄パターン２０の透光帯２２は上記第３図柄１３の図柄要素１３ａと真正面に対峙しており、透光帯２２の右斜めに第１図柄１１の図柄要素１１ａが配置され、左斜めに第２図柄１２の図柄要素１２ａが配置されている。
【００３０】
図１０（Ａ）において実線の矢印で示すように、観察者が画像表示パネルをその表側（一方側）において左斜めから見た場合、第１図柄１１の図柄要素１１ａが透光帯２２と対応した位置にあり、第２図柄１２の図柄要素１２ａと第３図柄１３の図柄要素１３ａは、遮光帯２１に隠れて見えない。その結果、図１１（Ａ）に示すように、画像表示パネルには、縞柄パターン２０の縞柄と重なるようにして、第１図柄１１の多数の矩形が市松模様で表示される。
【００３１】
また、図１０（Ａ）において破線の矢印で示すように、観察者が画像表示パネルをその裏側（他方側）において左斜めから見た場合、上記と同様に、第１図柄１１の図柄要素１１ａが透光帯２２と対応した位置にあり、第２図柄１２の図柄要素１２ａと第３図柄１３の図柄要素１３ａは、同色（黒色）の遮光帯２１と重なり、遮光帯２１と識別できない。その結果、上記と同様に画像表示パネルは図１１（Ａ）に示すように見える。
【００３２】
図１０（Ｂ）において実線の矢印で示すように、観察者が画像表示パネルをその表側において真正面（パネル本体２と直交する方向）から見た場合、第３図柄１３の無地の透明な図柄要素１３ａが透光帯２２と対応した位置にあり、第１図柄１１の図柄要素１１ａと第２図柄１２の図柄要素１２ａは、遮光帯２１に隠れて見えない。その結果、図１１（Ｂ）に示すように、画像表示パネルの全域にわたって、縞柄パターン２０の縞柄だけが表示される。
【００３３】
また、図１０（Ｂ）において破線の矢印で示すように、観察者が画像表示パネルをその裏側において真正面から見た場合、上記と同様に、第３図柄１３の図柄要素１３ａが透光帯２２と対応した位置にあり、第１図柄１１の図柄要素１１ａと第２図柄１２の図柄要素１２ａは、同色（黒色）の遮光帯２１と重なり、遮光帯２１と識別できない。その結果、上記と同様に画像表示パネルは図１１（Ｂ）に示すように見える。
【００３４】
図１０（Ｃ）において実線の矢印で示すように、観察者が画像表示パネルをその表側において右斜めから見た場合、第２図柄１２の図柄要素１２ａが透光帯２２と対応した位置にあり、第１図柄１１の図柄要素１１ａと第３図柄１３の図柄要素１３ａは、遮光帯２１に隠れて見えない。その結果、図１１（Ｃ）に示すように画像表示パネルには、縞柄パターン２０の縞柄と重なるようにして、第２図柄１２の多数の円が散点状に表示される。
【００３５】
また、図１０（Ｃ）において破線の矢印で示すように、観察者が画像表示パネルをその裏側において右斜めから見た場合、上記と同様に、第２図柄１２の図柄要素１２ａが透光帯２２と対応した位置にあり、第１図柄１１の図柄要素１１ａと第３図柄１３の図柄要素１３ａは、遮光帯２１と重なり、遮光帯２１と識別できない。その結果、上記と同様に画像表示パネルは図１１（Ｃ）に示すように見える。
【００３６】
上述したように、画像表示パネルは表側、裏側のどちらからも合成図柄パターン１０の各図柄１１〜１３の変化を見ることができ、設置場所の制限が少ない。そのため、玄関の装飾、ショーウインドウのディスプレー等に適用することができる。
【００３７】
次に、本発明の第２実施形態の画像表示パネルについて、図１２を参照しながら説明する。本実施形態の画像表示パネルでは、パネル本体１’は互いに異なる第１、第２の画像変化領域３，４を備えている。第１、第２の画像変化領域３，４はそれぞれ正方形をなし、縦横に（Ｘ，Ｙ軸方向に）交互に配置されている。
【００３８】
第１の画像変化領域３は、第１実施形態の図２におけるＲ部と同様の構成である。すなわち、裏側の面では、合成図柄パターンの３つ（複数）の図柄要素（帯状領域）がＹ軸方向に延び、Ｘ軸方向に配列されている。表側の面では、縞柄２０の遮光帯、透光帯がＹ軸方向に延び、Ｘ軸方向に交互に配列されている。
これに対して第２の画像変化領域４では、裏側の面の合成図柄パターンの３つ（複数）の図柄要素（帯状領域）がＸ軸方向に延びＹ軸方向に配列されており、表側の面では縞柄２０の遮光帯、透光帯がＸ軸方向に延び、Ｙ軸方向に交互に配列されている。
【００３９】
真正面から見た時には、図１２に示すように、第１画像変化領域３では縦縞の縞柄パターン２０が見え、第２画像変化領域４では横縞の縞柄パターン２０が見える。左右に見る位置を変えた時には第１画像変化領域３で画像が変化し、上下に見る位置を変えた時には第２画像変化領域４で画像が変化する。
【００４０】
第２実施形態において、第１画像変化領域３と第２画像変化領域４での図柄を変えてもよいことは勿論である。
【００４１】
次に、本発明の第３実施形態について、図１３を参照しながら説明する。この実施形態の画像表示パネルのパネル本体１”は、２枚の透明基板２Ａ，２Ｂと、この透明基板２Ａ，２Ｂの周縁に配置されて透明基板２Ａ，２Ｂを平行に離間させるスペーサ９とを備えている。これら透明基板２Ａ，２Ｂの互いに向き合う面２ａ’，２ｂ’（透光面）に、第１、第２実施形態と同様の合成図柄パターンと縞柄パターンがそれぞれ印刷されている。
この実施形態の画像表示パネルは、断熱効果を有するとともにパターンを形成した面２ａ’，２ｂ’を保護することができる。
【００４２】
本発明は上記実施形態に制約されず、種々の形態を採用可能である。以下に述べる形態は上記第１〜第３の実施形態のいずれにも適用可能である。
上記実施形態において第３図柄は無地でなく、第１、第２図柄と異なる他の図柄としてもよい。
合成図柄パターンや縞柄パターンの色は黒色に限らず、青色等、他の色でもよい。
縞柄パターンの遮光帯と合成図柄の図柄要素は同色であるとともに同じ濃さが好ましいが、遮光帯に比べて図柄要素は薄くてもよい。
透光帯は、遮光帯、図柄要素と同じ色でこれらより薄く着色してもよいし、すりガラスのように半透明であってもよい。
【００４３】
合成図柄パターンや縞柄パターンをフィルムに印刷し、このフィルムを透明基板に接着してもよい。
合成図柄パターンの複数の異なる図柄は、共通する図柄部分を有していてもよい。この場合、この共通する図柄部分は見る角度に拘わらず表示される。つまり固定図柄となる。
固定図柄を、縞柄パターンを形成した透光面に形成してもよい。この固定図柄を形成した領域は画像変化領域ではない。
合成図柄パターンは、２つの図柄の図柄要素で構成してもよい。
パネル本体の一部に単一の画像変化領域を設けてもよい。
【００４４】
上記第１実施形態のパネル本体１は、透明基板２の表側、裏側に透明基板２の印刷された面２ａ，２ｂを保護するための他の透明基板を備えていてもよい。
第１実施形態において、実際に画像が変化する正方形の領域（その１つが図２において符号Ｒで示されている）だけを画像変化領域と定義することもできる。この場合、市松模様状に多数の画像変化領域が配置され、これら画像変化領域間の正方形の領域が画像不変領域（縦縞模様だけが常に表示される領域）となる。
第２実施形態のパネル本体１’の第１、第２画像変化領域３，４は、１つずつ配置されていてもよい。
【図面の簡単な説明】
【００４５】
【図１】本発明の第１実施形態をなす画像表示パネルのパネル本体の横断面図である。
【図２】同透明基板の裏側の面に形成された合成図柄パターンを示す正面図である。
【図３】同透明基板の表側の面に形成された縞柄パターンを示す正面図である。
【図４】図２のＲ部において、合成図柄パターンの図柄要素を表示するための多数の帯状領域を示す拡大正面図である。
【図５】合成図柄パターンの第１図柄の図柄要素を示す上記Ｒ部の拡大正面図である。
【図６】合成図柄パターンの第２図柄の図柄要素を示す上記Ｒ部の拡大正面図である。
【図７】合成図柄パターンの第３図柄（無地）の図柄要素を示す上記Ｒ部の拡大正面図である。
【図８】合成図柄パターンの上記Ｒ部の拡大正面図である。
【図９】縞柄パターンの上記Ｒ部の拡大正面図である。
【図１０】（Ａ）〜（Ｂ）は、それぞれ異なる角度から見た時の縞柄パターンの遮光帯および透光帯と合成図柄パターンの画素要素との対応関係を示す横断面図であり、パターンの印刷部の厚みを誇張して示す。
【図１１】（Ａ）〜（Ｂ）は、図１０（Ａ）〜（Ｂ）に示すように異なる角度から見た時の画像をそれぞれ示す正面図である。
【図１２】本発明の第２実施形態をなす画像表示パネルを真正面から見た図である。
【図１３】本発明の第３実施形態をなす画像表示パネルの図１相当図である。
【符号の説明】
【００４６】
１、１’、１”  パネル本体
２、２Ａ、２Ｂ  透明基板
２ａ  裏側の面（透光面）
２ｂ  表側の面（透光面）
２ａ’，２ｂ’  互いに向き合う面（透光面）
３  第１画像変化領域
４  第２画像変化領域
１０  合成図柄パターン
１１〜１３  図柄
１１ａ〜１３ａ  図柄要素
２０  縞柄パターン
２１  遮光帯
２２  透光帯
【図１】
2010032871.tif 000003
【図２】
2010032871.tif 000004
【図３】
2010032871.tif 000005
【図４】
2010032871.tif 000006
【図５】
2010032871.tif 000007
【図６】
2010032871.tif 000008
【図７】
2010032871.tif 000009
【図８】
2010032871.tif 000010
【図９】
2010032871.tif 000011
【図１０】
2010032871.tif 000012
【図１１】
2010032871.tif 000013
【図１２】
2010032871.tif 000014
【図１３】
2010032871.tif 000015